(57)【特許請求の範囲】
【請求項１】
包装容器に取り付けられる二重キャップ付き口栓であって、
一方の開口部を含む一部が包装容器に固定され、他の一部に雄ネジが形成され、雄ネジの下部にラチェットを備えた筒形状のスパウトと、
筒状内面に前記スパウトの雄ネジと螺合する雌ネジと筒状外面に外側キャップと螺合する雄ネジと、筒状天面にスパウトの内径より小さい内径を有する注出口とを有する、筒形状の中栓キャップと、
中栓キャップの雄ネジに螺合する雌ネジを側壁部内面に有し、天面に注出口を密封する構造を有する外側キャップとを備えた二重キャップ付き口栓において、
中栓キャップの筒状内面ネジ部の下部に中栓キャップ半周ごとに複数の等間隔に配置されて設けられた、スパウト下部に設けられたスパウトラチェット突起と係合する中栓キャップラチェット突起と、
該複数の中栓キャップラチェット突起と同時に係合する位置に同数のスパウトに設けられたスパウトラチェット突起を有しており、
それに加えて、キャップが締まりきった位置から開栓方向にキャップを開いたときにスパウトに設けられたスパウトラチェット突起と係合する突起としてキャップ軸方向に中栓キャップラチェット突起より短い、短いラチェット突起が中栓キャップに備えられていることを特徴とする、二重キャップ付き口栓。
【請求項２】
中栓キャップ半周ごとに、複数の等間隔に配置された中栓キャップラチェット突起の形状と、短いラチェット突起との形状が異なっていることを特徴とする請求項１に記載の二重キャップ付き口栓。
【請求項３】
請求項１または２に記載の二重キャップ付き口栓を、軟包装材からなるパウチに取り付けた注出口栓付きパウチ。
【発明の詳細な説明】
【技術分野】
【０００１】
本発明は、液体、粉体あるいは粒体等を内容物とする口栓付きパウチに関する。より詳しくは、フィルム等からなる袋状の容器に用いる口栓であり、内容物の迅速な充填と小容量または計量しての注出が容易な二重キャップ付き口栓に関する。
【背景技術】
【０００２】
液体等の流動性のある内容物の包装容器として、注出口栓を設けたパウチが広く使用されている。このようなパウチにおいては、内容物を注入する際の迅速さと、内容物を注出する際の注出量制御の容易さが求められている。このために従来からいくつかの提案がなされてきた。
【０００３】
図８は、特許文献１で提案されているパウチ用注出口栓（５００）の側面および断面を示す図である。
注出口栓（５００）は、パウチの開口部に固定されるスパウト（５０１）と、スパウト（５０１）の開口部に嵌合する中栓（５０２）と、スパウト（５０１）の側壁に形成された雄ネジ（５０３）に螺合するキャップ（５０４）とからなる。
注出口栓（５００）では、中栓（５０２）を嵌合していない状態のスパウト（５０１）を通じて、内容物の注入を行うことで、注入の迅速化を図るとともに、中栓（５０２）を嵌合した状態のスパウト（５０１）を通じて内容物の注出を行うことで、注出速度を抑制し、注出量の制御を容易化している。
【０００４】
特許文献１の注出口栓（５００）においては、中栓（５０２）を嵌合したスパウト（５０１）に、キャップ（５０４）をキャッピング機械により高速で螺合すると、キャップ（５０４）の回転がキャップ（５０４）内部のプラグ（５０５）を通じて中栓（５０２）のノズル部（５０６）に伝わることにより、中栓（５０２）がスパウト（５０１）から外れたり、嵌合位置からずれたりした状態で螺合するおそれがあった。
このため、機械を用いてキャップ（５０４）の取り付けを高速に行うことが困難であった。
【０００５】
また、注出口栓（５００）は、中栓（５０２）に形成された環状溝（５０７）に、スパウト（５０１）の環状リブ（５０８）を引っ掛けることによって、中栓（５０２）をスパウト（５０１）に嵌合しているため、内容物の注出時にパウチを強く押したり、キャップ（５０４）を外した状態でパウチを落下させたりすると、中栓（５０２）が外れてスパウト（５０１）の開口部から内容物が漏出したり、中栓（５０２）が緩んでスパウト（５０１）との隙間から内容物が漏出するおそれがあった。
【０００６】
この問題に対する解答の一つとして特許文献２においては、機械による高速キャッピングが可能で、内容物の漏出を防止した注出口栓が提案されている。
【０００７】
特許文献２で提案されている注出口栓は、一方の開口部を含む一部が包装容器に固定され、他の一部に雄ネジが形成された筒形状のスパウトと、雄ネジと、スパウトの雄ネジと螺合する雌ネジと、スパウトの内径より小さい内径を有する注出口とを有する、筒形状の下キャップと、下キャップの雄ネジに螺合する雌ネジを有するカップ形状の上キャップとを備える、注出口栓である。
【０００８】
この注出口栓においては、雄ネジと、スパウトの雄ネジと螺合する雌ネジと、スパウトの内径より小さい内径を有する注出口とを有する、筒形状の下キャップ（中栓キャップ）
と、下キャップの雄ネジに螺合する雌ネジを有するカップ形状の上キャップ（外側キャップ）は包装容器への内容物充填前にあらかじめセットされており、スパウト付きパウチに内容物を充填した後にキャッピング装置によってキャップを巻き締める方法が一般的である。
開封使用時には上キャップのみを外して下キャップの注出口から内容物を注ぎだす手順がとられる。
【０００９】
この時に外側キャップのみが外れるようにするためには、中栓キャップが同時に回らないような構造が必要である。
このような構造としてはねじ部の螺合面に回転方向に対して抵抗の異なる凹凸を組み合わせたラチェットが一般的に用いられている。
たとえば、プラスチックボトルに計量キャップをつけた液体洗剤容器などが代表的である。
【００１０】
容器としてプラスチックボトルのような比較的硬い容器本体を用いている場合にはラチェットがしっかりと係合し、中栓キャップが開くことがない。
これに対して軟質の袋状容器（パウチ）の場合にはスパウトはパウチに溶着させるために比較的柔らかい材料を使用する。
【００１１】
そのために中栓キャップとのラチェットの係合において、中栓キャップを開くとスパウトのラチェットが変形しキャップが開いてしまうことが起こる。
係合を強くするためにラチェットの重なりを大きくすると、中栓キャップを締めるときにスパウトのラチェットを傷つけて変形させてしまうという問題があった。
【００１２】
以上の事情から、フィルム等からなる袋状の容器に用いる口栓であり、内容物の迅速な充填と小容量または計量しての注出が容易な二重キャップ付き口栓として、柔らかいスパウトのラチェットでもしっかりと係合して中栓が開くことのない二重キャップ付き口栓が求められていた。
【先行技術文献】
【特許文献】
【００１３】
【特許文献１】特開２００７−１９７０３０号公報
【特許文献２】特願２０１０−１１１４５２号
【発明の概要】
【発明が解決しようとする課題】
【００１４】
フィルム等からなる袋状の容器に用いる口栓であり、内容物の迅速な充填と小容量または計量しての注出が容易なねじ式の二重キャップ付き口栓として、柔らかいスパウトのラチェットでもしっかりと係合して中栓が開くことのない二重キャップ付き口栓を提供することが本発明の課題である。
【課題を解決するための手段】
【００１５】
本発明の請求項１に係る発明は、包装容器に取り付けられる二重キャップ付き口栓であって、
一方の開口部を含む一部が包装容器に固定され、他の一部に雄ネジが形成され、雄ネジの下部にラチェットを備えた筒形状のスパウトと、
筒状内面に前記スパウトの雄ネジと螺合する雌ネジと筒状外面に外側キャップと螺合する雄ネジと、筒状天面にスパウトの内径より小さい内径を有する注出口とを有する、筒形状の中栓キャップと、
中栓キャップの雄ネジに螺合する雌ネジを側壁部内面に有し、天面に注出口を密封する構造を有する外側キャップとを備えた二重キャップ付き口栓において、
中栓キャップの筒状内面ネジ部の下部に中栓キャップ半周ごとに複数の等間隔に配置されて設けられた、スパウト下部に設けられたスパウトラチェット突起と係合する中栓キャップラチェット突起と、
該複数の中栓キャップラチェット突起と同時に係合する位置に同数のスパウトに設けられたスパウトラチェット突起を有しており、
それに加えて、キャップが締まりきった位置から開栓方向にキャップを開いたときにスパウトに設けられたスパウトラチェット突起と係合する突起としてキャップ軸方向に中栓キャップラチェット突起より短い、短いラチェット突起が中栓キャップに備えられていることを特徴とする、二重キャップ付き口栓である。
【００１６】
本発明の請求項２に係る発明は、中栓キャップ半周ごとに、複数の等間隔に配置された中栓キャップラチェット突起の形状と、短いラチェット突起との形状が異なっていることを特徴とする請求項１に記載の二重キャップ付き口栓である。
【００１７】
本発明の請求項３に係る発明は、請求項１または２に記載の二重キャップ付き口栓を、軟包装材からなるパウチに取り付けた注出口栓付きパウチである。
【発明の効果】
【００１８】
本発明によれば、フィルム等からなる袋状の容器に用いる口栓であり、内容物の迅速な充填と小容量または計量しての注出が容易なねじ式の二重キャップ付き口栓として、柔らかいスパウトのラチェットでもしっかりと係合して中栓が開くことのない二重キャップ付き口栓を提供することが出来る。
【００１９】
また、本発明によれば、機械による高速キャッピングが可能で、内容物の漏出を防止した二重キャップ付き口栓を提供することが出来る。
さらに、この二重キャップ付き口栓を、軟包装材からなるパウチに取り付けた注出口栓付きパウチを得ることが出来る。
【図面の簡単な説明】
【００２０】
【図１】本発明の二重キャップ付き口栓を備えたパウチの一例の正面図
【図２】本発明の二重キャップ付き口栓を備えたパウチの一例の正面図（外側キャップを外した状態）
【図３】本発明の二重キャップ付き口栓の分解状態の正面図
【図４】本発明の二重キャップ付き口栓の中栓キャップの断面図
【図５】本発明の二重キャップ付き口栓の組立状態の断面図
【図６】中栓キャップの底部から見た略図（Ａ）本発明のキャップ（Ｂ）従来のキャップの場合
【図７】本発明の二重キャップ付き口栓の短いラチェットの横断面形状
【図８】従来の注出口栓の側面および断面を示す図
【発明を実施するための形態】
【００２１】
以下に本発明の実施形態の例について図面を援用して説明する。
図１は、本発明の一実施形態に係る二重キャップ付き口栓（１００）を取り付けたパウチ（１０１）の正面図である。また、図２は、二重キャップ付き口栓（１００）の外側キャップ（４０１）を外した状態のパウチ（１０１）の正面図である。
【００２２】
図１および図２に示すように、二重キャップ付き口栓（１００）は、スパウト（２０１）、中栓キャップ（３０１）および外側キャップ（４０１）とから構成されている。
【００２３】
また、図３は、二重キャップ付き口栓（１００）の分解状態の正面図であり、図５は同
じく組立状態の断面図である。図４は二重キャップ付き口栓（１００）の中栓キャップ（３０１）の断面図である。
以下に、図３と図４および図５を参照して、本発明の二重キャップ付き口栓（１００）について説明する。
【００２４】
図３と図４および図５に示すように、二重キャップ付き口栓（１００）は、スパウト（２０１）、中栓キャップ（３０１）および外側キャップ（４０１）とから構成される。
スパウト（２０１）は、パウチの包装材に挟まれてシールされる基部（２０２）と、基部（２０２）に接続する筒状の第１の側壁部（２０３）とからなる。
第１の側壁部（２０３）の、基部（２０２）との接続部分近傍にはフランジ（２０４）が設けられている。
【００２５】
第１の側壁部（２０３）には、中栓キャップ（３０１）を螺合するための雄ネジ（２０５）が設けられている。
【００２６】
図３に示すように、外側キャップ（４０１）の天面（４１０）は、周縁部にテーパーを設け、掴みやすさを向上している。
また、外側キャップ（４０１）の側面（４１１）は、すべり防止用のローレットが形成された部分と、回転トルク受け用の平坦面が形成された部分とを有し、開栓しやすさを向上している。
【００２７】
図４と図５に示すように、中栓キャップ（３０１）は、筒状の第２の側壁部（３０２）とノズル部（３０３）と第１のインナーリング（３０８）とからなる。
第２の側壁部（３０２）は、内面にスパウト（２０１）の第１の側壁部（２０３）と螺合する雌ネジ（３０４）が形成され、外面上部に外側キャップ（４０１）と螺合する雄ネジ（３０５）が形成されている。
【００２８】
ノズル部（３０３）は、湾曲部（３０６）とストレート部（３０７）とからなる。湾曲部（３０６）は、第２の側壁部（３０２）の上端から内側に向かって接続され、断面の一部は、第２の側壁部（３０２）の内方に対して凸となる曲線の形状を有している。
ストレート部（３０７）は、湾曲部（３０６）に接続され、垂直方向に延びる筒状の形状を有している。ストレート部（３０７）の内径は第２の側壁部（３０２）の内径より小さく、ストレート部（３０７）の端部が、注出口を構成する。  
【００２９】
第１のインナーリング（３０８）は、湾曲部（３０６）と第２の側壁部（３０２）との接続箇所に接続され、筒状に形成されている。
第１のインナーリング（３０８）の外径は、第２の側壁部（３０２）の内径より小さく設定され、第１のインナーリング（３０８）と第２の側壁部（３０２）との間には隙間が形成されている。スパウト（２０１）に、中栓キャップ（３０１）を螺合したとき、スパウト（２０１）の第１の側壁部（２０３）の開口側端部は、この隙間に嵌め込まれる。
【００３０】
中栓キャップ（３０１）を、スパウト（２０１）に完全に螺合させると、第２の側壁部（３０２）と第１のインナーリング（３０８）との接続部分に設けられた第１のコンタクトリング（３０９）が、スパウト（２０１）の第１の側壁部（２０３）の開口側の端面に当接する。
【００３１】
第１のコンタクトリング（３０９）を、所定の接触圧で、スパウト（２０１）の第１の側壁部（２０３）の開口側の端面と接触させることによって、スパウト（２０１）と中栓キャップ（３０１）との間での密封性を確保している。
【００３２】
図５に示したように、外側キャップ（４０１）の側面（４１１）の内側には、中栓キャップ（３０１）上部の雄ネジ（３０５）と螺合する雌ネジ（４０２）が形成されている。
中栓キャップ（３０１）の雄ネジ（３０５）および外側キャップ（４０１）の雌ネジ（４０２）として、それぞれ２条ネジを形成するネジ山が２分の１回転分ほど設けられている。
【００３３】
また、天面（４１０）の内側に、第２のインナーリング（４０３）およびアウターリング（４０４）が形成されている。
第２のインナーリング（４０３）の外径は、アウターリング（４０４）の内径より小さく設定され、第２のインナーリング（４０３）とアウターリング（４０４）との間には隙間が形成されている。
【００３４】
中栓キャップ（３０１）に外側キャップ（４０１）を完全に螺合したとき中栓キャップ（３０１）のストレート部（３０７）の開口側の端面は、この隙間に嵌め込まれる。
このとき、天面（４１０）内側のうち、第２のインナーリング（４０３）とアウターリング（４０４）とに挟まれた領域に設けられた第２のコンタクトリング（４０５）が、中栓キャップ（３０１）のストレート部（３０７）の開口側の端面に当接する。
そのため、ストレート部（３０７）は、第２のコンタクトリング（４０５）から、第２の側壁部（３０２）の内方に押し込む向きの力を受ける。
【００３５】
この力が湾曲部（３０６）に伝わり、湾曲部（３０６）を撓ませ、ストレート部（３０７）は、第２の側壁部（３０２）の内方にわずかに移動する。
このとき、湾曲部（３０６）の撓みに対する復元力により、ストレート部（３０７）と第２のコンタクトリング（４０５）との間には、所定の接触圧が維持される。
これにより、中栓キャップ（３０１）と外側キャップ（４０１）との間での密封性が確保される。
【００３６】
また、スパウト（２０１）の第１の側壁部（２０３）には、たとえばツメ状のラチェット突起（２０６）が設けられており、中栓キャップ（３０１）の第２の側壁部（３０２）には、ラチェット突起（２０６）に対応する例えば凹状のラチェット突起（３１０）が設けられている。
スパウト（２０１）に中栓キャップ（３０１）を完全に螺合したとき、ツメ（２０６）が凹部（３１０）に嵌合して、ラチェット機構として機能し、中栓キャップ（３０１）の緩みを防止する。
【００３７】
本発明の二重キャップ付き口栓においては、中栓キャップ（３０１）に設けるラチェット突起としてキャップ軸方向に他のラチェット突起（３１０）より短いラチェット突起（３２０）を、中栓キャップ（３０１）の巻き締め初期にはスパウトのラチェット突起と干渉せず、巻き締め完了の直前に初めてスパウトのラチェット突起と接触する位置に配置することによってスパウトのラチェット突起の変形を防ぐことが出来る。
【００３８】
図４の中栓キャップの断面図および図６の中栓キャップの底部から見た略図を参照して本発明の二重キャップ付き口栓のラチェット突起の配置の一例を説明する。
【００３９】
図６の（Ｂ）は従来の二重キャップ付き口栓の中栓キャップの中栓キャップラチェット突起（３１０）の円周方向の配置を示している。
この場合はスパウトのスパウトラチェット突起は半周に４５度間隔で３箇所（全周で６箇所）を図のように設けている。
【００４０】
中栓キャップの中栓キャップラチェット突起（３１０）も同様に４５度間隔で６箇所配置する。
このため９０度の角度の間に中栓キャップラチェット突起の設けられていない部分が２箇所存在する。
閉栓時のキャップの巻き締め完了の位置は、上記の６箇所の中栓キャップラチェット突起がすべて当たる位置であり、この位置で開栓方向への中栓キャップの回転に対する抵抗が最も高くなる。
【００４１】
開栓時には外側キャップ（４０１）を開栓方向に回すと、４５度開いた位置で４箇所の中栓キャップラチェット突起とスパウトラチェット突起が係合しそれ以上の中栓キャップ（３０１）の回転が停止する。
このときに閉栓時にスパウト側のスパウトラチェット突起が中栓キャップの中栓キャップラチェット突起（３１０）が乗り越えることによって変形しているとラチェットとしての停止効果が減少し、４箇所の中栓キャップラチェット突起とスパウトラチェット突起のラチェット係合では中栓キャップ（３０１）が開いてしまう危険がある。
【００４２】
本発明の二重キャップ付き口栓の中栓キャップラチェット突起の円周方向の配置は図６（Ａ）に示したように中栓キャップの中栓キャップラチェット突起（３１０）に加えて、その９０度空いている中間４５度の位置に他の中栓キャップラチェット突起（３１０）よりもキャップ軸方向に短いラチェット突起（３２０）を設けた配置とした。
【００４３】
この短いラチェット（３２０）の上下方向の配置位置例を図４に示した。
中栓キャップ（３０１）の巻き締め初期にはスパウトのスパウトラチェット突起と干渉せず、巻き締め完了の直前に初めてスパウトのスパウトラチェット突起と接触する位置と
して、中栓キャップ（３０１）の内面底部から上方へ離れた位置に短いラチェット突起（３２０）を設けてある。
【００４４】
このような位置に短いラチェット突起（３２０）を設けたことで閉栓時にスパウト側のスパウトラチェット突起が乗り越えることによって中栓キャップラチェット突起（３１０）が変形している影響は軽減されてラチェットとしての停止効果が保持されることになる。
さらに、キャップを開栓方向に回したときには、従来は４箇所の中栓キャップラチェット突起とスパウトラチェット突起のラチェットの係合だけであったところに、短いラチェット（３２０）もスパウトのスパウトラチェット突起と係合することによって６箇所のスパウトラチェット突起と係合することとなり中栓キャップ（３０１）をスパウト（２０１）に強固に固定することが出来るようになった。
【００４５】
中栓キャップに設ける短いラチェット突起（３２０）の形状は中栓キャップ上部から見て図６（Ａ）のような従来一般的な形状でもよいが、キャップを締める方向での抵抗がより少なくキャップを開ける方向での抵抗がより大きい形状であればより望ましい。
このような形状としては、例えば図７に示したような形状が挙げられるが必ずしもこの形状にこだわらない。
【００４６】
また、図３に示すように、中栓キャップ（３０１）の雄ネジ（３０５）のネジ山のスパウト（２０１）側終端近傍には、リブ（３１１）が設けられていてもよい。
雌ネジ（４０２）の導入側の端部近傍には、リブの幅と略等しい距離だけネジ山を形成しない切欠が設けられている。
【００４７】
中栓キャップ（３０１）に外側キャップ（４０１）を完全に螺合したとき、雌ネジ（４０２）の導入側の端部がリブ（３１１）を乗り越え、リブ（３１１）が切欠に嵌合して、ロックアップ機構として機能し、外側キャップ（４０１）の緩みを防止する。
また、このロックアップ機構によって螺合完了時の感触変化によるロック感が発生し、螺合完了の目安となるため、使用者による外側キャップ（４０１）の締め過ぎを防止できる。
【００４８】
以下に、本発明の二重キャップ付き口栓を用いたパウチに内容物を注入し、口栓（１０
０）を閉栓する手順を説明する。
まず、スパウト（２０１）に中栓キャップ（３０１）および外側キャップ（４０１）を螺合していない状態で、スパウト（２０１）の開口部から、内容物を注入する。
スパウト（２０１）の開口部の口径は、中栓キャップ（３０１）のストレート部（３０７）の開口部の口径より大きいため、内容物の注入を迅速に行うことができる。
【００４９】
次に、外側キャップ（４０１）と中栓キャップ（３０１）とを完全に螺合して、切欠およびリブ（３１１）によるロックアップ機構によって螺合状態を固定する。
次に、外側キャップ（４０１）と螺合した中栓キャップ（３０１）を、スパウト（２０１）に完全に螺合して、スパウトラチェット突起（２０６）および中栓キャップラチェット突起（３１０）によるラチェット機構によって螺合状態を固定する。
この時に螺合完了直前に中栓キャップに設けられた短いラチェット突起（３２０）もスパウトに設けられたスパウトラチェット突起（２０６）と係合するため強固に固定できる。
【００５０】
中栓キャップ（３０１）は、予め外側キャップ（４０１）と完全螺合して外れにくくした後、スパウト（２０１）と螺合するため、単にスパウトに嵌合した後、外側キャップをスパウトに螺合する場合に比べ、高速キャッピングしても、位置がずれたり外れたりする可能性が低く、キャッピング機械の高速動作が可能となる。
【００５１】
次に、口栓（１００）を開栓し、内容物を注出する手順を説明する。
まず、外側キャップ（４０１）を外す。
この際、ラチェット機構によって中栓キャップ（３０１）とスパウト（２０１）との螺合が緩むことが防止され、中栓キャップ（３０１）が外側キャップ（４０１）とともにスパウト（２０１）から外れる可能性は低い。
【００５２】
次に、中栓キャップ（３０１）がスパウト（２０１）に螺合した状態でパウチを押圧して、内容物を中栓キャップ（３０１）のストレート部（３０７）の開口部から注出する。
当該開口部の口径は、スパウト（２０１）の開口部の口径より小さいため、注出速度を適度に抑制でき、注出量の制御を容易に行うことができる。
【００５３】
また、中栓キャップ（３０１）はスパウト（２０１）と螺合している上、中栓キャップ（３０１）に設けられた２箇所の短いラチェットも加わって係合していることにより螺合状態が緩みにくくなっているため、パウチを強く押したり、外側キャップ（４０１）を外した状態でパウチを落下させたりしても、中栓キャップ（３０１）がスパウト（２０１）から外れたり緩んだりせず、内容物が漏出しにくくなっている。
【００５４】
また、第１のインナーリング（３０８）および第１のコンタクトリング（３０９）とにより、中栓キャップ（３０１）とスパウト（２０１）との密着性が高められており、内容物の漏出防止の効果が向上している。
【００５５】
また、外側キャップ（４０１）と中栓キャップ（３０１）とが完全に螺合している間は、ロックアップ機構により螺合状態が緩みにくくなっているため、パウチを振ったりした場合でも外側キャップ（４０１）が不意に外れ内容物が漏出することを防止できる。
【００５６】
また、第２のインナーリング（４０３）、アウターリング（４０４）および第２のコンタクトリング（４０５）とにより、外側キャップ（４０１）と中栓キャップ（３０１）との螺合時の密着性が高められており、内容物の漏出防止の効果が向上している。
【００５７】
このような二重キャップ付き口栓を構成するスパウト（２０１）、中栓キャップ（３０１）、外側キャップ（４０１）は、ポリプロピレンやポリエチレンなど熱可塑性樹脂を用
いて、射出成形法により、それぞれ一体形成される。
また、二重キャップ付き口栓は、液体、粉体あるいは粒体の内容物を包装するものであれば、パウチだけでなく紙パック等の包装容器に取り付けて利用してもよい。
【００５８】
また、中栓キャップ（３０１）とスパウト（２０１）との螺合状態を緩みにくくするという効果が得られる範囲内で、スパウト（２０１）の第１の側壁部（２０３）のスパウト
ラチェット突起（２０６）と、中栓キャップ（３０１）の第２の側壁部（３０２）の中栓キャップラチェット突起（３１０）あるいは短いラチェット突起（３２０）との嵌合の度合いを浅くして、嵌合の解除が可能なものとしてもよい。
この場合、中栓キャップ（３０１）をスパウト（２０１）から外して、内容物の再注入を行うことができ、パウチの再利用を行うことができる。
【００５９】
本実施形態では、中栓キャップ（３０１）の雄ネジ（３０５）および外側キャップ（４０１）の雌ネジ（４０２）は、２条ネジを形成するネジ山が２分の１回転分ほど設けられているものとしたが、確実に螺合可能であれば、１条ネジでも３条以上の多条ネジでもよく、ネジ山の巻き数も２分の１回転分でなくてもよい。
スパウト（２０１）の雄ネジ（２０５）と中栓キャップ（３０１）の雌ネジ（３０４）についても同様である。
【産業上の利用可能性】
【００６０】
本発明は、液体、粉体あるいは粒体等を内容物とするパウチ等に取り付けられる注出口栓の、内容物の漏れ防止等に有用である。
とくに、フィルム等からなる袋状の容器であって、注ぎ口（口栓）を備え、そこから内容物を迅速に充填できるように注ぎ口の片方の口径が大きく、小容量の注出あるいは計量しての注出が可能なように反対側の注ぎ口の口径が大きくなっている容器でスパウトと二重キャップがネジで螺合されているタイプの容器に利用できる。
【符号の説明】
【００６１】
１００…口栓
１０１…パウチ
２０１…スパウト
２０２…基部
２０３…第１の側壁部
２０４…フランジ
２０５…雄ネジ
２０６…スパウトラチェット突起
３０１…中栓キャップ
３０２…第２の側壁部
３０３…ノズル部
３０４…雌ネジ
３０５…雄ネジ
３０６…湾曲部
３０７…ストレート部
３０８…第１のインナーリング
３０９…第１のコンタクトリング
３１０…中栓キャップラチェット突起
３１１…リブ
３２０…短いラチェット突起
４０１…外側キャップ
４０２…雌ネジ
４０３…第２のインナーリング
４０４…アウターリング
４０５…第２のコンタクトリング
４０６…切欠
４１０…天面
４１１…側面
５００…注出口栓
５０１…スパウト
５０２…中栓
５０３…雄ネジ
５０４…キャップ
５０５…プラグ
５０６…ノズル部
５０７…環状溝
５０８…環状リブ
【図１】
0005961968.tif 000002
【図２】
0005961968.tif 000003
【図３】
0005961968.tif 000004
【図４】
0005961968.tif 000005
【図５】
0005961968.tif 000006
【図６】
0005961968.tif 000007
【図７】
0005961968.tif 000008
【図８】
0005961968.tif 000009